(57)【特許請求の範囲】
【請求項１】
それぞれがアプリケーションと対応付けられた１以上のオブジェクトを配置可能な領域を有する、互いに切り替えて表示可能な複数のホーム画面であって第一のホーム画面または第二のホーム画面を表示手段に表示する通信装置における画面表示方法において、
前記通信装置に対するログインに基づいて前記第一のホーム画面を表示し、前記第一のホーム画面における前記第二のホーム画面に切り替える操作に基づいて、ログイン状態を維持しながら前記第二のホーム画面を表示し、
前記第一のホーム画面の表示中は、前記領域に配置されているオブジェクトの変更に関わる、前記表示手段からの操作を受け付けず、前記第二のホーム画面の表示中は、前記領域に配置されているオブジェクトの変更に関わる、前記表示手段からの操作を受け付ける、
ことを特徴とする画面表示方法。
【請求項２】
前記通信装置が起動した後、前記通信装置に対するログイン操作以外の前記表示手段からの操作が受け付け可能な状態になった時に、前記第一のホーム画面を表示することを特徴とする請求項１に記載の画面表示方法。
【請求項３】
前記通信装置が、電源がオン状態であって前記表示手段からの操作を受け付けない状態から、前記通信装置に対するログイン操作以外の前記表示手段からの操作を受け付け可能な状態に復帰した時に、前記第一のホーム画面を表示することを特徴とする、請求項１に記載の画面表示方法。
【請求項４】
前記第一のホーム画面は、前記オブジェクトを配置する第一の領域とは別の第二の領域を有し、該第二の領域に、前記通信装置が通信ネットワークを介して他のコンピュータから受信した情報を表示することを特徴とする、請求項１に記載の画面表示方法。
【請求項５】
それぞれがアプリケーションと対応付けられた１以上のオブジェクトを配置可能な領域を有する、互いに切り替えて表示可能な複数のホーム画面であって第一のホーム画面または第二のホーム画面を表示手段に表示する通信装置における画面表示方法において、
前記通信装置に対するログインに基づいて前記第一のホーム画面を表示し、前記第一のホーム画面における前記第二のホーム画面に切り替える操作に基づいて、ログイン状態を維持しながら前記第二のホーム画面を表示し、
前記第一のホーム画面を表示する際は、他のコンピュータから通信ネットワークを介して受信した画面設定に関する第一の情報に基づいて該第一のホーム画面を生成して表示し、
前記第二のホーム画面を表示する際は、前記第一の情報を参照せずに、前記表示手段からの操作に基づいて生成し記録されていた画面設定に関する第二の情報に基づいて該第二のホーム画面を生成して表示する、処理をコンピュータが実行する画面表示方法。
【請求項６】
前記表示手段からの操作に基づいた前記第二の情報に対する変更の指示は許容し、前記表示手段からの操作に基づいた前記第一の情報に対する変更の指示は許容しないことを特徴とする請求項５に記載の画面表示方法。
【請求項７】
前記第一のホーム画面を生成して表示する処理は、前記通信装置が起動した後、該通信装置に対するログイン操作以外の前記表示手段からの操作を受け付け可能な状態になった時に表示する画面として、前記他のコンピュータから受信した画面設定に関する第一の情報に基づいて、第一のホーム画面を生成して表示することを特徴とする請求項５又は６に記載の画面表示方法。
【請求項８】
前記第一のホーム画面を生成して表示する処理は、電源がオン状態であって前記表示手段からの操作を受け付けない状態から、前記通信装置に対するログイン操作以外の前記表示手段からの操作を受け付け可能な状態に復帰した時に、前記第一の情報に基づいて、前記第一のホーム画面を生成して表示することを特徴とする請求項５に記載の画面表示方法。
【請求項９】
前記第一のホーム画面内に、前記オブジェクトを配置する第一の領域と、該第一の領域とは別の第二の領域とを設け、該第二の領域に、前記通信装置が通信ネットワークを介して他のコンピュータから受信した情報を表示することを特徴とする請求項５に記載の画面表示方法。
【請求項１０】
ログイン操作を受け付け、
ログイン操作により取得したユーザ又はユーザグループの識別情報と対応付けられた前記第一の情報を前記他のコンピュータから受信し、
受信した前記第一の情報に基づいて、前記第一のホーム画面を生成して表示することを特徴とする請求項５に記載の画面表示方法。
【請求項１１】
前記第二のホーム画面における前記第一のホーム画面に切り替える操作に基づいて、ログイン状態を維持しながら前記第一のホーム画面を表示することを特徴とする、請求項１ないし請求項１０のいずれか１項に記載の画面表示方法。
【請求項１２】
それぞれがアプリケーションと対応付けられた１以上のオブジェクトを配置可能な領域を有する、互いに切り替えて表示可能な複数のホーム画面であって第一のホーム画面または第二のホーム画面を表示手段に表示する際に、ログインに基づいて前記第一のホーム画面を表示し、前記第一のホーム画面における前記第二のホーム画面に切り替える操作に基づいて、ログイン状態を維持しながら前記第二のホーム画面を表示し、前記第一のホーム画面の表示中は、前記領域に配置されているオブジェクトの変更に関わる、前記表示手段からの操作を受け付けず、前記第二のホーム画面の表示中は、前記領域に配置されているオブジェクトの変更に関わる、前記表示手段からの操作を受け付ける、
処理をコンピュータに実行させるための画面表示プログラム。
【請求項１３】
それぞれがアプリケーションと対応付けられた１以上のオブジェクトを配置可能な領域を有する、互いに切り替えて表示可能な複数のホーム画面であって第一のホーム画面または第二のホーム画面を表示手段に表示する際に、ログインに基づいて前記第一のホーム画面を表示し、前記第一のホーム画面における前記第二のホーム画面に切り替える操作に基づいて、ログイン状態を維持しながら前記第二のホーム画面を表示し、前記第一のホーム画面を表示する際は、他のコンピュータから通信ネットワークを介して受信した画面設定に関する第一の情報に基づいて該第一のホーム画面を生成して表示し、
前記第二のホーム画面を表示する際は、前記第一の情報を参照せずに、前記表示手段からの操作に基づいて生成し記録されていた画面設定に関する第二の情報に基づいて該第二のホーム画面を生成して表示する、
処理をコンピュータに実行させるための画面表示プログラム。
【請求項１４】
それぞれがアプリケーションと対応付けられた１以上のオブジェクトを配置可能な領域を有する、互いに切り替えて表示可能な複数のホーム画面であって第一のホーム画面または第二のホーム画面を表示する表示手段と、
ログインに基づいて前記第一のホーム画面を表示し、前記第一のホーム画面における前記第二のホーム画面に切り替える操作に基づいて、ログイン状態を維持しながら前記第二のホーム画面を表示し、前記第一のホーム画面の表示中は、前記領域に配置されているオブジェクトの変更に関わる、前記表示手段からの操作を受け付けず、前記第二のホーム画面の表示中は、前記領域に配置されているオブジェクトの変更に関わる、前記表示手段からの操作を受け付ける画面制御手段と、
を有することを特徴とする通信装置。
【請求項１５】
それぞれがアプリケーションと対応付けられた１以上のオブジェクトを配置可能な領域を有する、互いに切り替えて表示可能な複数のホーム画面であって第一のホーム画面または第二のホーム画面を表示する表示手段と、
ログインに基づいて前記第一のホーム画面を表示し、前記第一のホーム画面における前記第二のホーム画面に切り替える操作に基づいて、ログイン状態を維持しながら前記第二のホーム画面を表示し、前記第一のホーム画面を表示する際は、他のコンピュータから通信ネットワークを介して受信した画面設定に関する第一の情報に基づいて該第一のホーム画面を生成して表示し、前記第二のホーム画面を表示する際は、前記第一の情報を参照せずに、前記表示手段からの操作に基づいて生成し記録されていた画面設定に関する第二の情報に基づいて該第二のホーム画面を生成して表示する画面制御手段と、
を有することを特徴とする通信装置。
【発明の詳細な説明】
【技術分野】
【０００１】
本発明は、画面表示方法、画面表示プログラム、及び通信装置に関する。
【背景技術】
【０００２】
近年では、スマートフォンやタブレット端末等のタッチパネルを備える通信装置を用いて、法人向けや個人向けの様々なサービスが提供されている。通信装置では、用途に応じてユーザが操作し易いようにホーム画面を体系的に管理したり、カスタマイズしたＷｅｂページをブラウザ上で表示させている。
【先行技術文献】
【特許文献】
【０００３】
【特許文献１】特開２０１３−１３７７５１号公報
【特許文献２】特開２００２−２３６６３８号公報
【発明の概要】
【発明が解決しようとする課題】
【０００４】
通信装置は、提供するサービス等の目的に応じて、決められた機能のみを固定してホーム画面に表示して専用端末として使用させたい場合や、ユーザが自由に画面上のアイコン等の位置等を設定できる個人端末として使用させたい場合がある。しかしながら、通信装置に対して、専用端末としての扱い方と、個人端末としての扱い方とを両立させるように、目的に応じた画面制御を行うことができない。
【０００５】
一つの側面では、本発明は、目的に応じた画面制御を行うことを目的とする。
【課題を解決するための手段】
【０００６】
一つの態様では、それぞれがアプリケーションと対応付けられた１以上のオブジェクトを配置可能な領域を有する、互いに切り替えて表示可能な複数のホーム画面であって第一のホーム画面または第二のホーム画面を表示手段に表示する通信装置における画面表示方法において、前記通信装置に対するログインに基づいて前記第一のホーム画面を表示し、前記第一のホーム画面における前記第二のホーム画面に切り替える操作に基づいて、ログイン状態を維持しながら前記第二のホーム画面を表示し、前記第一のホーム画面の表示中は、前記領域に配置されているオブジェクトの変更に関わる、前記表示手段からの操作を受け付けず、前記第二のホーム画面の表示中は、前記領域に配置されているオブジェクトの変更に関わる、前記表示手段からの操作を受け付ける。
【発明の効果】
【０００７】
一つの側面として、目的に応じた画面制御を行うことができる。
【図面の簡単な説明】
【０００８】
【図１】情報処理システムの概略構成の一例を示す図である。
【図２】管理サーバの機能構成の一例を示す図である。
【図３】管理サーバのハードウェア構成の一例を示す図である。
【図４】端末の機能構成の一例を示す図である。
【図５】端末のハードウェア構成の一例を示す図である。
【図６】本実施形態における画面表示処理の概略例を示す図である。
【図７】設定画面の一例を示す図である。
【図８】通信装置の画面例を示す図である。
【図９】管理サーバにおける画面表示処理の一例を示すフローチャートである。
【図１０】通信装置における画面表示処理の一例を示すフローチャートである。
【図１１】画面の切り替えに対応するネットワーク接続の切り替え例を説明するための図（その１）である。
【図１２】画面の切り替えに対応するネットワーク接続の切り替え例を説明するための図（その２）である。
【図１３】画面の切り替えに対応するネットワーク接続の切り替え例を説明するための図（その３）である。
【図１４】画面の切り替えに対応するネットワーク接続の切り替え例を説明するための図（その４）である。
【発明を実施するための形態】
【０００９】
以下、添付図面を参照しながら実施例について詳細に説明する。
【００１０】
＜情報処理システムの概略構成例＞
図１は、情報処理システムの概略構成の一例を示す図である。図１に示す情報処理システム１０は、情報処理装置の一例としての管理サーバ１１と、一又は複数の通信装置１２−１〜１２−ｎ（以下、必要に応じて「通信装置１２」という）とを有する。管理サーバ１１と、通信装置１２とは、例えばＬｏｃａｌ  Ａｒｅａ  Ｎｅｔｗｏｒｋ（ＬＡＮ）やインタネット等に代表される通信ネットワーク１３により、データの送受信が可能な状態で接続されている。
【００１１】
管理サーバ１１は、各通信装置１２に設定されるホーム画面のうち、固定画面に対するレイアウト等の設定情報（第一の情報）を生成する。ここで、ホーム画面とは、通信装置１２を起動した後に表示されるユーザからの操作を受け付け可能な最初の画面である。ホーム画面は、パスワードロックがある場合にはログイン認証後の画面であり、例えばＰｅｒｓｏｎａｌ  Ｃｏｍｐｕｔｅｒ（ＰＣ）のデスクトップ、携帯電話やスマートフォン等の待受け画面等に相当する。ホーム画面は、通信装置１２全ての操作の基本となる画面である。
【００１２】
また、固定画面とは、ホーム画面のうち、通信装置１２からホーム画面に配置されたオブジェクト（例えば、アイコンやウィジェット等）の変更（画面レイアウト等の変更も含む）に関わるユーザ操作を受け付けない画面である。一方、ホーム画面のうち、ホーム画面に対するオブジェクトの変更に関わるユーザ操作を受け付ける画面を可変画面という。ホーム画面は、上述した固定画面と可変画面とに分類される。ホーム画面が可変画面の場合には、ユーザは画面等を操作してオブジェクトや画面レイアウト等の設定を行う。可変画面に対応する設定情報（第二の情報）は、通信装置１２の記憶手段等に記憶される。
【００１３】
管理サーバ１１は、各通信装置１２に対して固定画面に対する設定情報を生成することができる。設定情報には、画面に表示されるコンテンツやアプリケーションプログラム（以下、必要に応じて「アプリ」を略称する）等の情報も含まれる。管理サーバ１１は、通信装置１２のホーム画面のうち、固定画面の更新時等に、その画面に対応する設定情報を通信ネットワーク１３を介して各通信装置１２に送信する。
【００１４】
管理サーバ１１は、汎用のサーバやＰＣ等であるが、これに限定されるものではない。また、管理サーバ１１は、例えば少なくとも一以上の情報処理装置を用いたクラウドコンピューティングによるクラウドサーバ等であってもよい。
【００１５】
通信装置１２は、管理サーバ１１等から提供された設定情報（第一の情報（配信された画面設定情報））に基づいて、ホーム画面の固定画面を表示する。また、通信装置１２は、記憶手段等に記憶された設定情報（第二の情報（通信装置１２内の画面設定情報））に基づいてホーム画面の可変画面を表示する。つまり、通信装置１２には、ホーム画面生成に用いる設定情報が、管理サーバ１１から提供される設定情報（第一の情報）と、自己の通信装置１２でユーザ操作により更新可能な設定情報（第二の情報）との２種類を有する。
【００１６】
また、通信装置１２は、管理サーバ１１から提供されたコンテンツやアプリを実行したり、通信装置１２にインストールされているアプリ等を実行したりする。また、通信装置１２は、ホーム画面を複数画面持つことができ、それぞれの画面に対して表示順を設定することができる。通信装置１２を起動した後に表示されるホーム画面は、表示順が１位に設定されているホーム画面である。通信装置１２の画面（表示手段）がタッチパネル等である場合、その画面上での所定の操作等を行うことで、複数のホーム画面の表示を切り替えることができる。複数のホーム画面の表示を切り替える所定の操作の一例として、例えばスワイプ操作が挙げられる。
【００１７】
例えば、通信装置１２は、起動直後のホーム画面を固定画面としたり、待機モードからの復帰後のホーム画面を固定画面としたりすることができる。また、通信装置１２は、固定画面内に、固定画面であることを通知する「お知らせ表示エリア」を有していてもよい。
【００１８】
また、通信装置１２は、予め設定されたグループＩＤに応じた設定ファイルを管理サーバ１１から受信する。例えば、本実施形態では、グループＩＤ毎に異なる設定ファイルを設けてもよい。なお、グループＩＤとは、例えばユーザ毎に設定される業種別や部署別等のグループを一意に識別可能な識別子である。これらのグループは、管理サーバ１１で管理され、管理サーバ１１から提供される設定情報やコンテンツ、アプリ等は、グループ毎に配信することができる。なお、複数種類設けた各設定ファイルと配信対象とする通信装置１２との対応付けの仕方は、グループＩＤを用いる方法に限定されるものではない。
【００１９】
通信装置１２は、予めインストールされた基本ソフトウェア（例えば、Ｏｐｅｒａｔｉｎｇ  Ｓｙｓｔｅｍ（ＯＳ）等）や、応答ソフトウェア（例えば、各種アプリ）を用いて、各種サービスをユーザに提供する。
【００２０】
通信装置１２は、スマートフォンやタブレット端末、ノート型ＰＣ等であるが、これに限定されるものではなく、例えばゲーム機器や、音楽再生装置等の端末でもよい。
【００２１】
通信ネットワーク１３は、管理サーバ１１と、通信装置１２との間でデータの送受信を行うためのネットワークであり、有線でも無線でもよい。
【００２２】
＜管理サーバ１１の機能構成例＞
次に、上述した管理サーバ１１の機能構成例について具体的に説明する。図２は、管理サーバの機能構成の一例を示す図である。図２の例において、管理サーバ１１は、設定情報登録手段２１と、コンテンツ管理手段２２と、アプリ管理手段２３と、ユーザ属性設定手段２４と、画面生成手段２５と、表示手段２６と、記憶手段２７と、通信手段２８とを有する。
【００２３】
設定情報登録手段２１は、管理者等により通信装置１２のホーム画面（固定画面）の設定情報（第一の情報）の登録を行う。設定情報には、例えばアイコンやウィジェット等の各オブジェクトのレイアウト情報やオブジェクトの変更等が含まれるが、これに限定されるものではない。設定情報登録手段２１は、登録された設定情報を記憶手段２７等に記憶させる。また、設定情報登録手段２１は、更新時等の所定のタイミングで、登録された設定情報、コンテンツ等を、通信ネットワークを介して通信装置１２に送信する。
【００２４】
コンテンツ管理手段２２は、ホーム画面に表示されるコンテンツ（例えば、画像データ、映像、時計、天気、メール）等を管理する。コンテンツ管理手段２２は、例えばコンテンツデータベース（以下、データベースを単に「ＤＢ」という）により、例えばユーザ毎、グループ毎に対応させて各コンテンツを管理する。
【００２５】
アプリ管理手段２３は、設定情報登録手段２１により登録されたホーム画面上に表示させるアプリを管理する。アプリ管理手段２３は、対象の通信装置１２から現在インストールされていたアプリの種類や、実行されたアプリの種類、バージョン等を定期的、又は問い合わせに対する応答として取得することができる。アプリ管理手段２３は、アプリ起動ログ情報を管理することができる。管理者は、これらの情報を参考に設定情報登録手段２１により設定情報を登録することができる。
【００２６】
ユーザ属性設定手段２４は、通信装置１２を使用するユーザ毎にグループ設定等を行う。ユーザ属性設定手段２４により設定された情報に基づいて、グループ単位にホーム画面（固定画面）の設定情報の内容を設定したり、通信装置１２に配信したりすることができる。
【００２７】
画面生成手段２５は、固定画面生成に関わる設定情報を設定するための設定画面や、コンテンツやアプリを管理するための画面等を生成する。生成された画面は、表示手段２６に表示される。
【００２８】
表示手段２６は、画面生成手段２５で生成された各種画面の内容を表示する。記憶手段２７は、本実施形態における画面表示処理が実現可能な各処理を実行するための設定情報、各種処理の実行経過や結果等を記憶する。記憶手段２７は、上述したホーム画面の固定画面を生成するための設定情報や、コンテンツ情報、ユーザ属性、アプリ起動ログ情報等の各種情報を記憶するが、記憶される情報の種類等については、これに限定されるものではない。また、記憶手段２７は、記憶された各種情報を必要に応じて所定のタイミングで読み出したり、書き込んだりすることができる。記憶手段２７は、例えばハードディスクやメモリ等であるが、これに限定されるものではない。
【００２９】
通信手段２８は、各通信装置１２や他の装置（他のコンピュータ）等に対して、通信ネットワーク１３を介してデータの送受信を行う。
【００３０】
＜管理サーバ１１のハードウェア構成例＞
本実施形態は、上述した各機能をコンピュータに実行させることができる実行プログラム（画面表示プログラム）を、例えば管理サーバ１１にインストールすることにより、本実施形態における画面表示処理を実現することができる。ここで、管理サーバ１１のハードウェア構成例について図を用いて説明する。
【００３１】
図３は、管理サーバのハードウェア構成の一例を示す図である。図３に示す管理サーバ１１は、入力装置３１と、出力装置３２と、ドライブ装置３３と、補助記憶装置３４と、主記憶装置３５と、Ｃｅｎｔｒａｌ  Ｐｒｏｃｅｓｓｉｎｇ  Ｕｎｉｔ（ＣＰＵ）３６と、ネットワーク接続装置３７とを有し、これらはシステムバスＢで相互に接続されている。
【００３２】
入力装置３１は、ユーザ等が操作するキーボード及びマウス等のポインティングデバイスや、マイク等の音声入力デバイスを有しており、ユーザ等からのプログラムの実行指示、各種操作情報、ソフトウェア等を起動するための情報等の入力を受け付ける。
【００３３】
出力装置３２は、本実施形態における処理を行うためのコンピュータ（管理サーバ１１）本体を操作するのに必要な各種ウィンドウやデータ等を表示するディスプレイを有し、ＣＰＵ３６が有する制御プログラムによりプログラムの実行経過や結果等を表示する。
【００３４】
ここで、本実施形態においてコンピュータ（管理サーバ１１）本体にインストールされる実行プログラムは、例えば、Ｕｎｉｖｅｒｓａｌ  Ｓｅｒｉａｌ  Ｂｕｓ（ＵＳＢ）メモリやＣＤ−ＲＯＭ、ＤＶＤ等の可搬型の記録媒体３８等により提供される。プログラムを記録した記録媒体３８は、ドライブ装置３３にセット可能であり、ＣＰＵ３６からの制御信号に基づき、記録媒体３８に含まれる実行プログラムが、記録媒体３８からドライブ装置３３を介して補助記憶装置３４にインストールされる。
【００３５】
補助記憶装置３４は、例えばハードディスクドライブやＳｏｌｉｄ  Ｓｔａｔｅ  Ｄｒｉｖｅ（ＳＳＤ）等のストレージ手段等である。補助記憶装置３４は、ＣＰＵ３６からの制御信号に基づき、本実施形態における実行プログラムや、コンピュータに設けられた制御プログラム等を記憶し、必要に応じて入出力を行うことができる。補助記憶装置３４は、ＣＰＵ３６からの制御信号等に基づいて、記憶された各情報から必要な情報を読み出したり、書き込むことができる。
【００３６】
主記憶装置３５は、ＣＰＵ３６により補助記憶装置３４から読み出された実行プログラム等を格納する。主記憶装置３５は、例えばＲｅａｄ  Ｏｎｌｙ  Ｍｅｍｏｒｙ（ＲＯＭ）やＲａｎｄｏｍ  Ａｃｃｅｓｓ  Ｍｅｍｏｒｙ（ＲＡＭ）等であるが、これに限定されるものではない。補助記憶装置３４及び主記憶装置３５は、例えば上述した記憶手段２７に対応している。
【００３７】
ＣＰＵ３６は、オペレーティングシステム等の制御プログラム、及び主記憶装置３５に格納されている実行プログラムに基づいて、各種演算や各ハードウェア構成部とのデータの入出力等、コンピュータ全体の処理を制御する。プログラムの実行中に必要な各種情報等は、例えば補助記憶装置３４から取得することができ、また実行結果等を補助記憶装置３４に格納することもできる。
【００３８】
ＣＰＵ３６は、例えば入力装置３１から得られるプログラムの実行指示等に基づき、補助記憶装置３４にインストールされたプログラムを実行させることにより、主記憶装置３５上でプログラムに対応する処理を行う。
【００３９】
例えば、ＣＰＵ３６は、画面表示プログラムを実行させることで、上述した設定情報登録手段２１による設定情報の登録、コンテンツ管理手段２２によるコンテンツ管理、アプリ管理手段２３によるアプリ管理、ユーザ属性設定手段２４によるユーザ属性の設定、画面生成手段２５による表示画面生成、表示手段２６による画面表示等の各処理を行う。ＣＰＵ３６における処理内容は、これに限定されるものではない。ＣＰＵ３６により実行された内容は、必要に応じて補助記憶装置３４に記憶させることができる。
【００４０】
ネットワーク接続装置３７は、ＣＰＵ３６からの制御信号に基づき、インタネットやＬＡＮ等の通信ネットワーク１３と接続することにより、実行プログラムやソフトウェア、設定情報等を、通信ネットワーク１３に接続されている他の装置等から取得する。また、ネットワーク接続装置３７は、プログラムを実行することで得られた実行結果又は本実施形態における実行プログラム自体を他の装置等に提供することができる。
【００４１】
上述したようなハードウェア構成により、本実施形態における管理サーバ１１での画面表示処理を実行することができる。また、プログラムをインストールすることにより、汎用のサーバやＰＣ等で本実施形態における画面表示処理を容易に実現することができる。
【００４２】
＜通信装置１２の機能構成例＞
次に、上述した通信装置１２の機能構成例について具体的に説明する。図４は、端末の機能構成の一例を示す図である。図４に示す通信装置１２は、設定情報取得手段４１と、設定情報登録手段４２と、画面制御手段４３と、表示手段４４と、アプリ実行手段４５と、ログ抽出手段４６と、記憶手段４７と、通信手段４８とを有する。
【００４３】
設定情報取得手段４１は、通信ネットワーク１３を介して管理サーバ１１にログインし、例えばホーム画面生成に関する所定の設定情報等を取得する。取得した設定情報は、記憶手段４７に記憶される。
【００４４】
設定情報登録手段４２は、通信装置１２のユーザ等により通信装置１２のホーム画面（可変画面）の設定情報（第二の情報）の登録を行う。設定情報には、例えばアイコンやウィジェット等の各オブジェクトのレイアウト情報やオブジェクトの変更等が含まれるが、これに限定されるものではない。設定情報登録手段２１は、登録された設定情報を記憶手段４７等に記憶させる。
【００４５】
画面制御手段４３は、管理サーバ１１等から得られた設定情報等に基づいて通信装置１２を使用するユーザが使用するホーム画面の固定画面、可変画面のレイアウト設定等を管理する。画面設定内容については、アイコンやウィジェット等のオブジェクトの配置や色等のレイアウト情報や各オブジェクトの種類等であるが、これに限定されるものではない。
【００４６】
また、画面制御手段４３は、画面のオン・オフ等も管理し、画面がオフからオン状態に変化したときに表示する画面等も制御する。また、画面制御手段４３は、ホーム画面（固定画面又は可変画面）として、それぞれがアプリと対応付けられた１以上のオブジェクトを配置可能な領域（カスタマイズエリア）を有し、複数のホーム画面をユーザ操作により切り替えられるように表示手段４４に表示する。
【００４７】
例えば、画面制御手段４３は、複数のホーム画面のうち、第一のホーム画面（固定画面）の表示中は、領域に配置されているアイコンの変更に関わる表示手段４４からの操作（ユーザ操作）を受け付けず、複数のホーム画面のうち第二のホーム画面（可変画面）の表示中は、領域に配置されているアイコンの変更に関わる表示手段４４からの操作（＝ユーザ操作）を受け付ける。
【００４８】
また、画面制御手段４３は、起動した後、通信装置１２に対するログイン操作以外の表示手段４４からの操作を受け付け可能な状態になった時に、第一のホーム画面を表示する。また、画面制御手段４３は、通信装置１２の電源がオン状態であって表示手段４４からの操作を受け付けない状態（待機モード）から、通信装置１２に対するログイン操作以外の表示手段４４からの操作を受け付け可能な状態に復帰した時に、第一のホーム画面を表示する。
【００４９】
また、画面制御手段４３は、第一のホーム画面として、上述したオブジェクトを配置する第一の領域とは別の第二の領域を有し、その第二の領域に、通信装置１２が通信ネットワーク１３を介して他のコンピュータから受信した情報を表示してもよい。
【００５０】
表示手段４４は、画面制御手段４３により生成された画面等を表示する。表示手段４４は、それぞれがアプリケーションと対応付けられた１以上のオブジェクトを配置可能な領域を有する、互いに切り替えて表示可能な複数のホーム画面を表示する。なお、表示手段４４は、例えばタッチパネル等のように入力と出力とを行う機能を有しているが、これに限定されるものではない。
【００５１】
アプリ実行手段４５は、ユーザが表示手段４４に表示されたホーム画面上で選択（タッチ）したアプリを実行する。アプリは、通信装置１２に予めインストールされているが、タッチした時点でインストールしてもよい。また、アプリ実行手段４５は、実行されるアプリに対し、ホーム画面が固定画面であるか、可変画面であるかにより、ネットワーク接続の切り替えを行ってもよい。
【００５２】
ログ抽出手段４６は、アプリ実行手段４５により実行されたアプリの情報を時間情報と共に、ログ（履歴情報）として管理する。ログ抽出手段４６は、抽出したログ情報を記憶手段４７に記憶してもよく、定期的又はアプリを実行後に通信ネットワーク１３を介して管理サーバ１１に送信してもよい。
【００５３】
記憶手段４７は、本実施形態における画面表示処理を行うために必要な各種情報を記憶する。記憶手段４７は、例えば、設定情報取得手段４１により取得した設定情報を記憶する。また、記憶手段４７は、ログ抽出手段４６により得られるログ情報を記憶する。記憶手段４７に記憶される情報については、これに限定されるものではなく、例えば、各種設定情報等を管理したり、インストールされたアプリの情報等を記憶したりしてもよい。
【００５４】
通信手段４８は、図１に示す管理サーバ１１や他の装置と通信ネットワーク１３を介してデータの送受信を行う。また、通信手段４８は、通信装置１２間で赤外線等による近距離通信等によりデータの送受信を行うことができる。
【００５５】
また、通信手段４８は、例えば、Ｗｉ−Ｆｉ（登録商標）やＢｌｕｅｔｏｏｔｈ（登録商標）等による通信を行うこともできる。更に、通信手段４８は、他の端末（通信装置１２）との通話を可能にする通話手段を有していてもよい。
【００５６】
＜通信装置１２のハードウェア構成例＞
本実施形態は、上述した各機能をコンピュータに実行させることができる実行プログラム（画面表示プログラム）を、例えば通信装置１２にインストールすることにより、本実施形態における画面表示処理を実現することができる。ここで、管理サーバ１１のハードウェア構成例について図を用いて説明する。
【００５７】
図５は、端末のハードウェア構成の一例を示す図である。図５に示す通信装置１２は、スピーカ５１と、マイク５２と、ディスプレイ５３と、無線部５４と、操作部５５と、位置情報取得部５６と、近距離通信部５７と、電力部５８と、主記憶装置５９と、ＣＰＵ６０とを有する。
【００５８】
スピーカ５１は、画面に表示されている内容に対応する音声を出力する。また、スピーカ５１は、アドレス帳等に設定された相手と通話する場合に、その相手の音声を出力したり、着信音等の音を出力したりする。マイク５２は、ユーザが発した音声や、その他の音を入力する。
【００５９】
ディスプレイ５３は、ログイン画面は、ホーム画面、各種設定画面、アプリ実行画面、時刻情報や通信圏外であるか否かに係る情報等を表示する。また、ディスプレイ５３は、文字データ、画像データ、映像データ等を表示する。ディスプレイ５３としては、例えばＬｉｑｕｉｄ  Ｃｒｙｓｔａｌ  Ｄｉｓｐｌａｙ（ＬＣＤ）等があるが、これに限定されるものではない。
【００６０】
無線部５４は、アンテナ等を用いて電波等の送受信を行い、管理サーバ１１とのデータの送受信を行う。
【００６１】
操作部５５は、各種機能に対する設定時、アプリ実行時、画面切り替え時等に操作される入力手段である。操作部５５は、ボタンやキー、スイッチ等であるが、例えばタッチパネル等のような構成である場合には、上述したディスプレイ５３等が操作部５５の機能を果たしてもよい。
【００６２】
位置情報取得部５６は、例えば上述したＧＰＳ機能等を用いて位置情報を取得する。近距離通信部５７は、他の通信装置１２との短距離通信（ローカル通信）を行う。例えば、近距離通信部５７は、赤外線通信を用いて、通信装置１２間で直接短距離通信を行う。また、近距離通信部５７は、無線ルータ等の中継機器を介して通信装置１２との短距離通信を行ってもよい。更に、通信手段４８は、例えば、Ｗｉ−ＦｉやＢｌｕｅｔｏｏｔｈ等による通信を行ってもよい。
【００６３】
電力部５８は、通信装置１２の各構成に対して電力を供給する。なお、電力部５８は、例えばバッテリ等の内部電源であるが、これに限定されるものではなく、例えば外部電源等でもよい。
【００６４】
主記憶装置５９は、通信装置１２における各種情報を記憶するための記憶手段であり、情報の書き込みや読み出し等を行うことができる。なお、主記憶装置５９は、例えば、ＲＯＭやＲＡＭ等であるが、これに限定されるものではない。
【００６５】
ＣＰＵ６０は、オペレーティングシステム等の制御プログラム、及び主記憶装置５９に格納されている実行プログラムに基づいて、各種演算や各ハードウェア構成部とのデータの入出力等、コンピュータ全体の処理を制御する。なお、ＣＰＵ６０は、主記憶装置５９に予め格納されたプログラム（画面表示プログラム）に基づいて処理が行われる。
【００６６】
例えば、ＣＰＵ６０は、画面表示プログラムを実行させることで、上述した設定情報取得手段４１による設定情報（第一の情報）の取得、設定情報登録手段４２により設定情報（第二の情報）の登録、画面制御手段４３による画面制御、表示手段４４による表示、アプリ実行手段４５によるアプリの実行、ログ抽出手段４６によるアプリログの抽出等の各処理を行う。ＣＰＵ６０における処理内容は、これに限定されるものではない。
【００６７】
上述したようなハードウェア構成により、本実施形態における通信装置１２での画面表示処理を実行することができる。また、プログラムをインストールすることにより、スマートフォンやタブレット端末等で本実施形態における画面表示処理を容易に実現することができる。プログラムをインストールする際には、例えば管理サーバ１１等からダウンロードしてもよく、上述したＵＳＢメモリ等の記録媒体等により提供されてもよい。
【００６８】
＜本実施形態における画面表示処理の概略＞
本実施形態における画面表示処理の概略について、図を用いて説明する。図６は、本実施形態における画面表示処理の概略例を示す図である。図６の例では、上述した情報処理システム１０に対応させて、管理サーバ１１と、通信装置１２とを示している。なお、図６の例では、説明の便宜上、管理サーバ１１と、通信装置１２とを１対１として説明しているが、説明内容については、これに限定されるものではない。
【００６９】
図６の例において、管理サーバ１１は、管理者７０等により、コンテンツやレイアウト情報等のホーム画面生成における設定情報の登録が行われる。なお、管理者７０は、管理者用の端末Ｐを用いて管理サーバ１１にアクセスして上述した登録処理を行うことができるが、これに限定されるものではなく、直接管理サーバ１１を操作してもよい。
【００７０】
管理サーバ１１では、通信装置１２を使用するユーザ７１の属性に基づくグループ単位でコンテンツや設定情報等を配信する。図６の例において、通信装置１２は、ホーム画面として管理サーバ１１から得られた設定情報等により生成された固定画面を表示する。なお、通信装置１２は、ユーザ操作や設定等により、ホーム画面を切り替えて可変画面を表示することができる。
【００７１】
通信装置１２側では、管理サーバ１１から得られたコンテンツをモバイルポータル７２等の所定の領域で管理する。また、通信装置１２は、管理サーバ１１から得られたホーム画面（固定画面）の設定情報をインポートし、ホームアプリ（ホーム画面）を起動する。ホームアプリの画面７３に配置される各アイコンは、モバイルポータル７２のコンテンツに対応付けられており、所定のアイコン（例えば、＃１）を選択すると、それに対応するモバイルポータル７２上のコンテンツ（例えば、＃１）を実行する。実行されたコンテンツやアプリは、ログ情報として抽出され、通信ネットワーク１３を介して管理サーバ１１に送信される。
【００７２】
なお、図６の例では、ホームアプリの画面７３の領域の一部に、通信装置１２が通信ネットワーク１３を介して他のコンピュータから受信した情報（例えば、図６の例では、広告１〜３）を表示する領域を有してもよい。
【００７３】
＜設定画面例＞
次に、設定情報を設定するための画面例について、図を用いて説明する。図７は、設定画面の一例を示す図である。図７の例は、管理者が管理サーバ１１で設定するホーム画面（固定画面）の設定内容を示すものであるが、ユーザが通信装置１２を操作して設定するホーム画面（可変画面）も同様の設定画面を用いることができる。
【００７４】
図７の例において、ホーム画面８０は、バナーウィジェット８１と、お知らせウィジェット８２と、時計・天気ウィジェット８３と、メールウィジェット８４と、アイコンウィジェット８５と、各種ボタン表示領域８６とを有する。
【００７５】
図７の例において、各ウィジェット内に表示するコンテンツは、ウィジェット自身が管理サーバ１１に問い合わせて取得することができる。問い合わせは、定期的に行うことができ、ポーリング間隔は可変にすることができる。
【００７６】
図７の例において、バナーウィジェット８１には、予め設定されたサービスに関する広告情報が表示される。お知らせウィジェット８２には、例えば入力されたユーザＩＤやグループＩＤに応じて対応する内容が表示される。時計・天気ウィジェット８３は、時計や天気等の情報が表示される。
【００７７】
メールウィジェット８４は、例えば通信ネットワーク１３を介して予め設定されたメールサーバにアクセスし、個人又はグループ単位で対応するメールの受信等を行い、その内容が表示される。メールウィジェット８４は、既存のメールソフト又はウェブメールを使用する。
【００７８】
アイコンウィジェット８５は、本実施形態における固定画面として表示されるアプリ情報等である。つまり、本実施形態では、画面の一部を固定画面としてもよく、画面全体を固定画面としてもよい。アイコンウィジェット８５は、図７に示すように、予め設定されたタイル等の所定の領域に、コンテンツやアプリ等を起動するためのアイコンを割り付ける。なお、アイコンウィジェット８５のタイルとして割り付けられる情報は、「ファイル」、「ＵＲＬリンク」、「ＨＴＭＬアプリ」、及び「アプリＵＲＬ」等のうち、少なくとも１つであるが、これに限定されるものではない。また、本実施形態では、フォルダ等により階層付けられた他のタイルを対象としてもよい。
【００７９】
また、各種ボタン表示領域８６は、実行中のアプリの終了や、通信装置１２の終了や画面のオン・オフ、ホーム画面等の他の画面への切り替え等、通信装置１２を使用するための各種ボタンの表示領域である。
【００８０】
また、通信装置１２では、ウィジェット固定機能、共通アプリ領域固定機能、ホーム画面のページ数を変更できるページ数可変機能、設定情報（設定ファイル）のインポート（Ｉｍｐｏｒｔ）、エキスポート（Ｅｘｐｏｒｔ）機能等を有する。
【００８１】
また、通信装置１２は、例えばＡｎｄｒｏｉｄ（登録商標）等のＯＳを有する場合、そのウィジェットであるバナーウィジェット８１、お知らせウィジェット８２、時計・天気ウィジェット８３、アイコンウィジェット８５は、１つのアプリとして作成することができ、また複数のウィジェットを表示できるものとする。なお、通信装置１２のＯＳについては、これに限定されるものではない。
【００８２】
図７に示すような画面を用いて設定されたホーム画面の設定情報（レイアウト情報等）は、設定ファイル（設定情報）９０として記憶手段２７により管理される。管理サーバ１１は、上述した内容で設定された設定情報（第一の情報）を通信装置１２側に送信する。通信装置１２は、設定情報を受信することで、管理者が設定したホーム画面（固定画面）を表示することができる。固定画面を表示することで、通信装置１２を専用端末として使用することができる。また、固定画面以外にもユーザが変更可能なホーム画面（可変画面）も切り替え表示できるように制御する。可変画面を表示することで、個人端末として使用することができる。このように、本実施形態を適用することで、目的に応じた画面制御を行うことができる。
【００８３】
図８は、通信装置の画面例を示す図である。図８の例では、まずユーザが通信装置１２の電源を入れる（電源オン）と通信装置１２を使用するための認証を行う（図８（Ａ））。認証手法としては、例えば指紋認証、パスワード認証、パターン認証等があるが、これに限定されるものではなく、何れか又は複数の認証手法を組み合わせてもよい。
【００８４】
通信装置１２に対する認証を実施し、認証が成功した場合、固定画面が通信装置１２上に表示される（図８（Ｂ））。次に、ホーム画面上で、スワイプ動作（指を画面上で左右に滑らせる動作）等を行うと、可変画面を表示する（図８（Ｃ））。なお、可変画面と固定画面は、相互に切り替えることができる。また、可変画面と固定画面は、それぞれ複数画面持つことができる。
【００８５】
例えば、本実施形態では、複数のホーム画面のうち、図８（Ｂ）に示すような第一のホーム画面（固定画面）の表示中は、前記領域に配置されているアイコンの変更に関わるタッチパネルからのユーザ操作を受け付けないようにする。また、本実施形態では、複数のホーム画面のうち、図８（Ｃ）に示すような第二のホーム画面（可変画面）の表示中は、領域に配置されているアイコンの変更に関わるタッチパネルからのユーザ操作を受け付ける。
【００８６】
また、通信装置１２は、起動した後、ログイン操作以外のタッチパネルからの操作を受け付け可能な状態になった時に、図８（Ｂ）に示すような第一のホーム画面を表示する。また、通信装置１２は、電源がオン状態であってタッチパネルからの操作を受け付けない状態（待機モード）から、通信装置１２に対するログイン操作以外のタッチパネルからの操作を受け付け可能な状態に復帰した時に、例えば図８（Ｂ）に示すような第一のホーム画面を表示する。また、通信装置１２において、第一のホーム画面は、アイコンを配置する第一の領域とは別の第二の領域を有し、第二の領域に、通信装置１２が通信ネットワーク１３を介して他のコンピュータ等から受信した情報を表示してもよい。
【００８７】
なお、上述した第一のホーム画面と、第二のホーム画面は、それぞれ異なる設定情報に管理されていてもよく、１つの設定情報に対してタグ等により区分けして、各画面に対して設定変更できる権限を設定してもよい。各設定情報は、通信装置１２の記憶手段４７に記憶される。
【００８８】
＜画面表示処理＞
次に、本実施形態における画面表示処理の一例について、フローチャートを用いて説明する。図９は、管理サーバにおける画面表示処理の一例を示すフローチャートである。図９の例において、管理サーバ１１は、ホーム画面の設定情報を登録するか否かを判断し（Ｓ０１）、ホーム画面を設定する場合（Ｓ０１において、ＹＥＳ）、ユーザの属性を設定する（Ｓ０２）。次に、管理サーバ１１は、管理者等から受け付けたレイアウト等の設定情報等を登録する（Ｓ０３）。次に、管理サーバ１１は、属性に対応するグループ毎にコンテンツを通信装置１２に送信し、通信装置１２に記憶させる（Ｓ０４）。また、管理サーバ１１は、属性に対応するグルーブ毎に設定情報を通信装置１２に送信し、通信装置１２に記憶させる（Ｓ０５）。
【００８９】
ここで、管理サーバ１１は、処理を終了するか否かを判断し（Ｓ０６）、処理を終了しない場合（Ｓ０６において、ＮＯ）、Ｓ０１の処理に戻る。また、管理者等からの操作により処理を終了する場合（Ｓ０６において、ＹＥＳ）、処理を終了する。
【００９０】
なお、上述の処理では、設定情報の登録後に、通信装置１２に送信しているが、これに限定されるものではなく、通信装置１２からの問い合わせがあったときに、通信装置１２から得られるユーザ情報や端末情報（通信装置１２の識別情報）等に応じて対応する設定情報やコンテンツを、その通信装置１２に送信してもよい。
【００９１】
図１０は、通信装置における画面表示処理の一例を示すフローチャートである。図１０の例において、通信装置１２は、起動すると認証画面を表示し（Ｓ１１）、予め設定された認証手法に基づく認証を行う（Ｓ１２）。次に、通信装置１２は、認証に成功したか否かを判断し（Ｓ１３）、認証に成功した場合（Ｓ１３において、ＹＥＳ）、設定情報を読み込む（Ｓ１４）。
【００９２】
ここで、読み込まれる設定情報は、固定画面と自由画面との２種類の画面に対応したそれぞれの設定情報（第一の情報、第二の情報）である。第一の情報は、管理サーバ１１から配信された画面設定情報である。また、第二の情報は、通信装置１２毎に管理されるユーザが変更可能な固有の画面設定情報である。第一の情報は、管理サーバ１１から更新時に送信されてもよく、通信装置１２が固定画面を表示するタイミングで管理サーバ１１に問い合わせを行い、対応する設定情報を取得してもよい。また、Ｓ１４の処理では、ログイン認証の操作により取得したユーザ又はユーザグループの識別情報に基づいて管理サーバ１１に問い合わせを行い、識別情報に対応付けられた第一の情報を管理サーバ１１から受信してもよい。
【００９３】
次に、通信装置１２は、取得した設定情報に対応するホーム画面を表示する（Ｓ１５）。ここで、画面切り替え指示を受け付けたか否かを判断し（Ｓ１６）、画面切り替え指示を受け付けた場合（Ｓ１６において、ＹＥＳ）、指示動作に対応した画面の設定情報を読み出し、読み出した設定情報に対応する画面を生成し、その画面に切り替える（Ｓ１７）。
【００９４】
また、Ｓ１７の処理後、又はＳ１６の処理において、画面切り替え指示を受け付けていない場合（Ｓ１６において、ＮＯ）、次に、固定画面か否かを判断し（Ｓ１８）、固定画面である場合（Ｓ１８において、ＹＥＳ）、変更に関わる画面操作を受け付けない（Ｓ１９）。また、固定画面でない場合（Ｓ１８において、ＮＯ）、可変画面であるため、変更に関わる操作を受け付ける（Ｓ２０）。
【００９５】
次に、通信装置１２は、処理を終了するか否かを判断し（Ｓ２１）、処理を終了しない場合（Ｓ２１において、ＮＯ）、Ｓ１６の処理に戻る。また、ユーザ等からの操作により処理を終了する場合（Ｓ２１において、ＹＥＳ）、処理を終了する。また、上述したＳ１３の処理において、認証に成功していない場合（Ｓ１３において、ＮＯ）、認証失敗として処理を終了する。このとき、認証失敗を示すメッセージや再度認証処理をユーザに行わせるメッセージを表示してもよい。
【００９６】
例えば、通信装置１２は、それぞれがアプリと対応付けられた１以上のアイコンを配置可能な領域（カスタマイズエリア）を有する互いに切り替えて表示可能な複数のホーム画面をタッチパネルに表示する。この場合、複数のホーム画面のうち固定画面を表示する際は、無線等の通信ネットワーク１３を介して管理サーバ１１から受信した画面設定に関する第一の情報（配信された画面設定情報）に基づいて、固定画面を生成して表示する。また、通信装置１２は、複数のホーム画面のうち可変画面を表示する際は、第一の情報を参照せずに、タッチパネルからのユーザ操作に基づいて生成されていた画面設定に関する第二の情報（通信装置１２内の画面設定情報）に基づいて可変画面を生成して表示する。
【００９７】
また、通信装置１２は、タッチパネルからの操作に基づいた第二の情報に対する変更の指示は許容し、タッチパネルからの操作に基づいた第一の情報に対する変更の指示は許容しない。また、通信装置１２は、第一のホーム画面を生成して表示する処理は、通信装置１２が起動した後、通信装置１２に対するログイン操作以外のタッチパネルからの操作を受け付け可能な状態になった時に表示する画面として、管理サーバ１１から受信した画面設定に関する第一の情報に基づいて、固定画面を生成して表示してもよい。
【００９８】
また、通信装置１２は、電源がオン状態であってタッチパネルからの操作を受け付けない状態（待機モード）から、通信装置１２に対するログイン操作以外のタッチパネルからの操作を受け付け可能な状態に復帰した時に、第一の情報に基づいて、固定画面を生成して表示してもよい。
【００９９】
また、通信装置１２は、固定画面内に、アイコンを配置する第一の領域と、第一の領域とは別の第二の領域とを設け、第二の領域に、通信装置１２が通信ネットワーク１３を介して他のコンピュータから受信した情報を表示してもよい。また、通信装置１２は、ログイン操作を受け付け、ログイン操作により取得したユーザ又はユーザグループの識別情報（例えば、ユーザＩＤ又はグループＩＤ）と対応付けられた第一の情報を管理サーバ１１から受信し、受信した第一の情報に基づいて、第一のホーム画面（固定画面）を生成して表示する。
【０１００】
＜ホーム画面の切り替えに対応するネットワーク接続の切り替え例＞
更に、本実施形態では、上述したホーム画面の切り替えに対応させてネットワーク接続網やネットワーク接続方式を切り替えてもよい。図１１〜図１４は、画面の切り替えに対応するネットワーク接続の切り替え例を説明するための図（その１〜その４）である。
【０１０１】
図１１の例では、「ホーム画面」において、固定画面１００と可変画面１０１との２つの画面があり、ユーザが各画面から利用する機能に応じてネットワークへの接続を自動的に切り替える。なお、Ａ〜Ｆは、それぞれパネル（例えば、アプリに対応付けられたアイコン等）を示す。ここで、固定画面１００は、ユーザが利用する機能に応じて閉域接続又はインタネット接続を自動で切り替える。閉域接続は、例えばＶｉｒｔｕａｌ  Ｐｒｉｖａｔｅ  Ｎｅｔｗｏｒｋ（ＶＰＮ）であってもよい。図１１の例では、パネルＡ、Ｂに対応するアプリ実行時には閉域接続され、パネルＣ、Ｄに対応するアプリ実行時にはインタネット接続される。また、図１１の例では、画面を左右にスライドさせることで、固定画面１００と可変画面１０１とを切り替えることができる。本実施形態では、ホーム画面が可変画面１０１に切り替わると、アプリ実行時に全てインタネット接続に自動的に切り替わる。これらのネットワーク接続の制御は、アプリ実行手段４５により実行される。
【０１０２】
また、図１２の例では、固定画面１００にそれぞれの階層が設定されている。図１２の例では、固定画面１００−１〜１００−４とし、それぞれ「画面ディスプレイ（最上位レイヤ）」、「画面表示アプリ（第１層レイヤ）」、「画面設定・制御アプリ（第２層レイヤ）」、「接続アプリ（第３層レイヤ）」等としているが、階層数や種類については、これに限定されるものではない。
【０１０３】
図１２の例において、ユーザが、固定画面１００上でパネルを選択すると、「画面設定・制御アプリ」が、選択されたパネルに対応付けられた機能を認識して、第３層レイヤである閉域接続アプリ又はインタネット接続アプリを実行する。この閉域接続アプリは、自動で必要な設定を行った上で閉域接続することができる。また、インタネット接続アプリは、自動で必要な設定を行った上でインタネット接続することができる。
【０１０４】
例えば、図１２の例に示すようにユーザがパネルＢをタッチ（選択）した場合、通信装置１２は、パネルＡ〜ＤからパネルＢが選択されたと認識し、予めパネルＢに対応付けられた閉域接続アプリを実行する。
【０１０５】
また、図１３の例では、固定画面で利用する機能に対する接続の自動切替例を示している。図１３に示すように、固定画面では利用する機能に応じて接続を自動的に切り替えることもできる。利用者がある機能を選択（タッチ）すると、「画面設定・制御アプリ」が選択機能（選択パネル）を識別する。また、「画面設定・制御アプリ」は、選択機能（選択パネル）に応じて以下に示す何れか接続アプリを起動する。
【０１０６】
例えば、インタネット接続アプリであれば、閉域接続状態の場合、閉域接続切断した後、インタネット接続する。また、閉域接続アプリであれば、インタネット接続状態の場合、インタネット接続切断したのち閉域接続する。これにより、例えば、図１３の例において、ユーザがパネルＢ又はパネルＤの何れかを選択すると、それぞれの画面設定・制御アプリが対応する接続アプリを起動して、対応するネットワーク接続を実現することができる。
【０１０７】
また、図１４の例は、固定画面から可変画面に画面を切り替えた際のネットワーク接続の自動切替例を示している。図１４の例では、可変画面では自動的にインタネット接続に切り替える。例えば、ユーザが、可変画面１０１を利用（画面を右にスライド）すると、「画面設定・制御アプリ」が可変画面１０１−１〜１０１−４を識別する。次に、「画面設定・制御アプリ」は、インタネット接続アプリ（接続アプリ）を起動する。これにより、インタネット接続アプリ（接続アプリ）は、閉域接続状態の場合、閉域接続切断した後に、インタネット接続することができる。
【０１０８】
上述したように、本実施形態では、設定情報に対応する画面表示を制御することで、ユーザに変更できないホーム画面を表示させることができ、また、固定画面、自由画面のそれぞれのアプリの選択状態に対応させて起動する接続アプリの内容を切り替えることができる。また、固定画面、自由画面に応じてネットワーク接続先も切り替えることで、専用端末又は個人端末としての可用性を向上させることができる。
【０１０９】
上述したように本実施形態によれば、目的に応じた画面制御を行うことができる。
【０１１０】
以上、各実施例について詳述したが、特定の実施例に限定されるものではなく、特許請求の範囲に記載された範囲内において、上記変形例以外にも種々の変形及び変更が可能である。また、上述した各実施例の一部又は全部を組み合わせることも可能である。
【０１１１】
なお、以上の実施例に関し、更に以下の付記を開示する。
（付記１）
それぞれがアプリケーションと対応付けられた１以上のオブジェクトを配置可能な領域を有する、互いに切り替えて表示可能な複数のホーム画面を表示手段に表示する通信装置における画面表示方法において、
前記複数のホーム画面のうち第一のホーム画面の表示中は、前記領域に配置されているオブジェクトの変更に関わる、前記表示手段からの操作を受け付けず、前記複数のホーム画面のうち第二のホーム画面の表示中は、前記領域に配置されているオブジェクトの変更に関わる、前記表示手段からの操作を受け付ける、
ことを特徴とする画面表示方法。
（付記２）
前記通信装置が起動した後、前記通信装置に対するログイン操作以外の前記表示手段からの操作が受け付け可能な状態になった時に、前記第一のホーム画面を表示することを特徴とする付記１に記載の画面表示方法。
（付記３）
前記通信装置が、電源がオン状態であって前記表示手段からの操作を受け付けない状態から、前記通信装置に対するログイン操作以外の前記表示手段からの操作を受け付け可能な状態に復帰した時に、前記第一のホーム画面を表示することを特徴とする、付記１に記載の画面表示方法。
（付記４）
前記第一のホーム画面は、前記オブジェクトを配置する第一の領域とは別の第二の領域を有し、該第二の領域に、前記通信装置が通信ネットワークを介して他のコンピュータから受信した情報を表示することを特徴とする、付記１に記載の画面表示方法。
（付記５）
それぞれがアプリケーションと対応付けられた１以上のオブジェクトを配置可能な領域を有する、互いに切り替えて表示可能な複数のホーム画面を表示手段に表示する通信装置における画面表示方法において、
前記複数のホーム画面のうち第一のホーム画面を表示する際は、他のコンピュータから通信ネットワークを介して受信した画面設定に関する第一の情報に基づいて該第一のホーム画面を生成して表示し、
前記複数のホーム画面のうち第二のホーム画面を表示する際は、前記第一の情報を参照せずに、前記表示手段からの操作に基づいて生成し記録されていた画面設定に関する第二の情報に基づいて該第二のホーム画面を生成して表示する、処理をコンピュータが実行する画面表示方法。
（付記６）
前記表示手段からの操作に基づいた前記第二の情報に対する変更の指示は許容し、前記表示手段からの操作に基づいた前記第一の情報に対する変更の指示は許容しないことを特徴とする付記５に記載の画面表示方法。
（付記７）
前記第一のホーム画面を生成して表示する処理は、前記通信装置が起動した後、該通信装置に対するログイン操作以外の前記表示手段からの操作を受け付け可能な状態になった時に表示する画面として、前記他のコンピュータから受信した画面設定に関する第一の情報に基づいて、第一のホーム画面を生成して表示することを特徴とする付記５又は６に記載の画面表示方法。
（付記８）
前記第一のホーム画面を生成して表示する処理は、電源がオン状態であって前記表示手段からの操作を受け付けない状態から、前記通信装置に対するログイン操作以外の前記表示手段からの操作を受け付け可能な状態に復帰した時に、前記第一の情報に基づいて、前記第一のホーム画面を生成して表示することを特徴とする付記５に記載の画面表示方法。
（付記９）
前記第一のホーム画面内に、前記オブジェクトを配置する第一の領域と、該第一の領域とは別の第二の領域とを設け、該第二の領域に、前記通信装置が通信ネットワークを介して他のコンピュータから受信した情報を表示することを特徴とする付記５に記載の画面表示方法。
（付記１０）
ログイン操作を受け付け、
ログイン操作により取得したユーザ又はユーザグループの識別情報と対応付けられた前記第一の情報を前記他のコンピュータから受信し、
受信した前記第一の情報に基づいて、前記第一のホーム画面を生成して表示することを特徴とする付記５に記載の画面表示方法。
（付記１１）
前記第一のホーム画面又は前記第二のホーム画面に応じて接続するネットワークを切り替えることを特徴とする付記１乃至１０の何れか１項に記載の画面表示方法。
（付記１２）
それぞれがアプリケーションと対応付けられた１以上のオブジェクトを配置可能な領域を有する、互いに切り替えて表示可能な複数のホーム画面を表示手段に表示する際に、前記複数のホーム画面のうち第一のホーム画面の表示中は、前記領域に配置されているオブジェクトの変更に関わる、前記表示手段からの操作を受け付けず、前記複数のホーム画面のうち第二のホーム画面の表示中は、前記領域に配置されているオブジェクトの変更に関わる、前記表示手段からの操作を受け付ける、
処理をコンピュータに実行させるための画面表示プログラム。
（付記１３）
それぞれがアプリケーションと対応付けられた１以上のオブジェクトを配置可能な領域を有する、互いに切り替えて表示可能な複数のホーム画面を表示手段に表示する際に、前記複数のホーム画面のうち第一のホーム画面を表示する際は、他のコンピュータから通信ネットワークを介して受信した画面設定に関する第一の情報に基づいて該第一のホーム画面を生成して表示し、
前記複数のホーム画面のうち第二のホーム画面を表示する際は、前記第一の情報を参照せずに、前記表示手段からの操作に基づいて生成し記録されていた画面設定に関する第二の情報に基づいて該第二のホーム画面を生成して表示する、
処理をコンピュータに実行させるための画面表示プログラム。
（付記１４）
それぞれがアプリケーションと対応付けられた１以上のオブジェクトを配置可能な領域を有する、互いに切り替えて表示可能な複数のホーム画面を表示する表示手段と、
前記複数のホーム画面のうち第一のホーム画面の表示中は、前記領域に配置されているオブジェクトの変更に関わる、前記表示手段からの操作を受け付けず、前記複数のホーム画面のうち第二のホーム画面の表示中は、前記領域に配置されているオブジェクトの変更に関わる、前記表示手段からの操作を受け付ける画面制御手段と、
を有することを特徴とする通信装置。
（付記１５）
それぞれがアプリケーションと対応付けられた１以上のオブジェクトを配置可能な領域を有する、互いに切り替えて表示可能な複数のホーム画面を表示する表示手段と、
前記複数のホーム画面のうち第一のホーム画面を表示する際は、他のコンピュータから通信ネットワークを介して受信した画面設定に関する第一の情報に基づいて該第一のホーム画面を生成して表示し、前記複数のホーム画面のうち第二のホーム画面を表示する際は、前記第一の情報を参照せずに、前記表示手段からの操作に基づいて生成し記録されていた画面設定に関する第二の情報に基づいて該第二のホーム画面を生成して表示する画面制御手段と、
を有することを特徴とする通信装置。
【符号の説明】
【０１１２】
１０  情報処理システム
１１  管理サーバ
１２  通信装置
１３  通信ネットワーク
２１，４２  設定情報登録手段
２２  コンテンツ管理手段
２３  アプリ管理手段
２４  ユーザ属性設定手段
２５  画面生成手段
２６，４４  表示手段
２７，４７  記憶手段
２８，４８  通信手段
３１  入力装置
３２  出力装置
３３  ドライブ装置
３４  補助記憶装置
３５，５９  主記憶装置
３６，６０  ＣＰＵ
３７  ネットワーク接続装置
３８  記録媒体
４１  設定情報取得手段
４３  画面制御手段
４５  アプリ実行手段
４６  ログ抽出手段
５１  スピーカ
５２  マイク
５３  ディスプレイ
５４  無線部
５５  操作部
５６  位置情報取得部
５７  近距離通信部
５８  電力部
７０  管理者
７１  ユーザ
８０  ホーム画面
９０  設定ファイル（設定情報）
１００  固定画面
１０１  可変画面
【図１】
0006531468.tif 000002
【図２】
0006531468.tif 000003
【図３】
0006531468.tif 000004
【図４】
0006531468.tif 000005
【図５】
0006531468.tif 000006
【図６】
0006531468.tif 000007
【図７】
0006531468.tif 000008
【図８】
0006531468.tif 000009
【図９】
0006531468.tif 000010
【図１０】
0006531468.tif 000011
【図１１】
0006531468.tif 000012
【図１２】
0006531468.tif 000013
【図１３】
0006531468.tif 000014
【図１４】
0006531468.tif 000015